(57)【要約】【課題】簡単な構造で握力の弱い女性や子供や老人であっても、簡単に開栓や閉栓をすることのできるキャップを提供する。【解決手段】キャップ２０に、容器１０の口部１１に螺合する円筒部２２を設ける。円筒部２２に、該円筒部２２の下端部から外周側へ拡開して円筒部２２を容器１０の口部１１へ案内するガイド部２３と、外周側に延出する大径握り部２４とを設ける。キャップ２０は、閉栓する際にキャップ２０を容器１０に被せると、ガイド部２３によって円筒部２２が口部１１に容易に案内され、大径握り部２４を閉方向に回転させることによって、軽い力で閉栓することができる。大径握り部２４を開方向に回転させることによって、軽い力で開栓することができる。【選択図】  図１
2007186237.tif 000002
【特許請求の範囲】
【請求項１】
容器側の口部に螺合する円筒部を備えたキャップにおいて、前記円筒部は、下端部から外周側へ拡開して円筒部を口部へ案内するガイド部と、外周側に延出する大径握り部とを備えていることを特徴とするキャップ。
【発明の詳細な説明】
【技術分野】
【０００１】
本発明は、容器の口部に螺着されるキャップに係り、特に、飲料水や調味料を入れる容器の口部に螺着されるキャップに関する。
【背景技術】
【０００２】
従来、飲料水や調味料を入れるガラス又はＰＥＴ、その他硬質の合成樹脂を素材として成形される容器の口部には、ねじ式のキャップが取り付けられている（例えば、特許文献１参照。）。
【特許文献１】特許第３６２３６０８号公報
【発明の開示】
【発明が解決しようとする課題】
【０００３】
上述のキャップはキャップ上蓋の外周面に複数の縦溝が形成され、キャップを容器から外す際や容器に装着するときには、前記外周面を握って、縦溝を滑り止めとして回している。
【０００４】
しかし、上述のキャップは外径が比較的小さく、最初に開栓する時や、冷蔵庫から飲料ボトルを取り出して開栓する時、或いは手が濡れた状態で開栓しようとする時等、握力の弱い女性や子供、老人では開栓が困難なことがあった。
【０００５】
そこで本発明は、簡単な構造で握力の弱い女性や子供、老人であっても、簡単に開栓や閉栓をすることのできるキャップを提供することを目的としている。
【課題を解決するための手段】
【０００６】
上記の目的を達成するため本発明は、容器側の口部に螺合する円筒部を備えたキャップにおいて、前記円筒部は、下端部から外周側へ拡開して円筒部を口部へ案内するガイド部と、外周側に延出する大径握り部とを備えていることを特徴としている。
【発明の効果】
【０００７】
本発明は上述のように構成することによって、容器にキャップを被せて閉栓する際には、ガイド部によって円筒部を口部に容易に案内でき、大径握り部を閉方向回転させることによって、軽い力で閉栓でき、また、大径握り部を開方向に回転させることによって容易に開栓することができ、握力の弱い女性や子供、老人であっても、簡単に開栓や閉栓をすることができる。
【発明を実施するための最良の形態】
【０００８】
以下、本発明の各形態例を図面に基づいて詳しく説明する。図１及び図２は本発明の第１形態例を示すもので、図１は容器に装着状態のキャップの要部断面図、図２はキャップの要部平面図である。
【０００９】
容器１０は、ガラス又はＰＥＴその他硬質の合成樹脂を素材として成形され、口部１１の外周には雄ねじ部１２が形成されている。
【００１０】
キャップ２０は、ポリエチレン等の合成樹脂を素材として成形され、前記雄ねじ部１２に螺合する雌ねじ部２１を内周に備えた円筒部２２と、該円筒部２２の下端部から外周側へ拡開して前記円筒部２２を口部１１に案内する複数のガイド部２３と、前記円筒部２２の上端部から外周側に延出する複数の大径握り部２４と、円筒部２２の上面を閉塞する天井部２５とが一体に設けられている。大径握り部２４とガイド部２３とは、図２に示されるように周方向に等間隔に形成され、隣り合う大径握り部２４の間にガイド部２３が配置され、花形に形成されている。
【００１１】
このように形成されたキャップ２０は、閉栓する際にキャップ２０を容器１０に被せると、ガイド部２３によって円筒部２２が口部１１に容易に案内され、大径握り部２４を握って閉方向に回転させることにより、軽い力で閉栓できると共に、大径握り部２４を握って開方向に回転させることにより、軽い力で開栓ができる。これにより、握力の弱い女性や子供や老人でも開栓や閉栓が容易になる。
【００１２】
また、ガイド部２３と大径握り部２４とを周方向に交互に形成し、内外方向に重ならない花形に形成することにより、キャップ２０の成形時に、ガイド部２３及び大径握り部２４を成形する金型部分を、これらを全周に設けた場合に比べて容易に抜き取ることができ、金型構造を簡易化することができる。これによって金型費用の削減や生産性の向上が図れる。さらに、大径握り部２４の間から容器１０の口部１１を見ながらキャップ２０を装着できるので、口部１１へのキャップ２０の被着も容易に行うことができる。
【００１３】
図３及び図４は本発明の第２形態例を示し、図３は容器に装着状態のキャップの要部断面図、図４はキャップを装着した状態の容器の正面図で、第１形態例と同一の部材には同一の番号を付してその詳細な説明を省略する。
【００１４】
キャップ２６は、容器１０の口部１１に嵌着される下蓋２７に螺着されるもので、下蓋２７は、容器１０の口部１１上端から外周側に突出するフランジ部１３に嵌着される大径嵌着部２８と、口部１１の内周に嵌合する内筒２９と、口部１１の上方に突出する上部筒３０とが一体に形成され、該上部筒３０の外周に雄ねじ部１２が形成されている。
【００１５】
キャップ２６は、大径握り部２４とガイド部２３とを有し、大径握り部２４が全周に亘って一体に形成され、天井部２５の内面には、前記上部筒３０の上端部３０ａを収容する収容溝３１が周設されている。
【００１６】
このように形成された下蓋２７は、大径嵌着部２８と内筒２９との間に、容器１０の口部１１に形成したフランジ部１３を嵌入させて容器１０の口部１１に固定され、下蓋２７の上部筒３０にキャップ２６が螺着される。このときキャップ２６は、ガイド部２３によって円筒部２２が上部筒３０に容易に案内され、大径握り部２４を閉方向に回転させることによって軽い力で閉栓でき、上部筒３０の上端部３０ａがキャップ２６の収容溝３１に収容され、ガイド部２３の下端が大径嵌着部２８の上面に当接する。また、大径握り部２４を開方向に回転させることによって、軽い力で開栓することができる。
【００１７】
上述の各形態例のようなキャップは、どのような容器のキャップとしても適用でき、このようなキャップを適用することにより、握力の弱い女性や子供、老人が、例えば最初に開栓する時や、飲料水を入れたペットボトルを冷蔵庫から取り出して開栓する時、或いは、調理中に手が濡れた状態で調味料の入った容器のキャップを開栓しようとする時等でも容易に開栓することができる。
【００１８】
尚、本発明のキャップのガイド部は、全周に設けても部分的に設けても良く、少なくともキャップの周方向に３箇所設けていれば良い。また、大径握り部は、運搬時や保存時の収容状態を考慮して、容器の胴部よりは小径であることが望ましい。
【図面の簡単な説明】
【００１９】
【図１】本発明の第１形態例を示す容器に装着状態のキャップの要部断面図である。
【図２】同じくキャップの要部平面図である。
【図３】本発明の第２形態例を示す容器に装着状態のキャップの要部断面図である。
【図４】同じくキャップを装着した状態の容器の正面図である。
【符号の説明】
【００２０】
１０…容器、１１…口部、１２…雄ねじ部、１３…フランジ部、２０，２６，３２…キャップ、２１…雌ねじ部、２２…円筒部、２３…ガイド部、２４，３３…大径握り部、２５…天井部、２７…下蓋、２８…大径嵌着部、２９…内筒、３０…上部筒、３０ａ…上端部、３１…収容溝
【図１】
2007186237.tif 000003
【図２】
2007186237.tif 000004
【図３】
2007186237.tif 000005
【図４】
2007186237.tif 000006